(57)【要約】
【課題】  適切なタイミングで測定可能な電子血圧計を提供する。
【解決手段】  キー操作部１２、コントローラ１３、メモリー部５、血圧測定部材１４、警告装置１６および表示部１１を有するタイミング測定可能な電子血圧計である。キー操作部１２は、ユーザが、例えば、測定時間、測定間隔、測定回数、血圧の異常な限界値などのようなパラメータを入力できる。メモリー部５は、前記パラメータを蓄積するコントローラ１３により制御される。不作動時間により、血圧の測定を実行するように制御信号がコントローラ１３から血圧測定部材１４へ出力される。さまざまな測定パラメータおよび測定された血圧値は、表示部１１に表示される。測定された血圧が限界値を超えると、警告メッセージが表示部１１および／または警告装置１６によって発せられる。
【選択図】図１
0003101451.tif 000002
【実用新案登録請求の範囲】
【請求項１】
本体部と、
当該本体部の表面に設けられ、測定時間、測定間隔、測定回数、および異常な血圧限界値を含むパラメータを入力するキー操作部と、
前記本体部の表面に設けられ、表示情報を表示する表示部と、
前記本体部内に設けられたコントローラと、
前記本体部内に設けられ、前記コントローラと電気的に接続され、血圧測定を行なうようにコントローラにより制御され、コントローラに測定血圧値を伝達する電子的血圧測定部材と、
前記本体部内に設けられ、前記コントローラと電気的に接続され、前記キー操作部で入力された前記パラメータを蓄積するメモリー部と、および、
管を介して血圧計と連結され、血圧を測定するユーザの腕や手首に圧力を適用するガス充填リング部と、
を有する適切なタイミングで測定可能な電子血圧計。
【請求項２】
前記コントローラは、前記キー操作部により入力された、ユーザの血圧を測定する時間になると、血圧測定部材に対し制御信号を発し、ガス充填リング部にガスを充填するように制御し、前記血圧測定部材から伝達された測定血圧値が限界値より高いと、表示部が警告メッセージを表示するように作動させるようにしたことを特徴とする請求項１に記載の電子血圧計。
【請求項３】
前記本体部は、表面もしくは内部に警告装置が設けられ、当該警告装置は、測定された血圧値が限界値を超えると、音声的および／または視覚的に警告を発するように前記コントローラにより制御される請求項１に記載の電子血圧計。
【請求項４】
前記警告装置は、警告光を発する発光部を有する請求項３に記載の電子血圧計。
【請求項５】
前記発光部は、発光ダイオードまたは電球である請求項４に記載の電子血圧計。
【請求項６】
前記警告装置は、音を発する音声発生部である請求項３に記載の電子血圧計。
【請求項７】
前記音声発生部は、スピーカまたはホーンである請求項６に記載の電子血圧計。
【請求項８】
前記表示部は、数字および／または文字を表示する液晶ディスプレイまたは発光ダイオードディスプレイである請求項１に記載の電子血圧計。
【考案の詳細な説明】
【技術分野】
【０００１】
本考案は、電子血圧計、特に、血圧測定を適切なタイミングで行うようにコントローラにより制御され、測定された血圧が異常なときに警告信号を発するように作動する電子血圧計に関する。
【背景技術】
【０００２】
血圧は、健康状態にとって重要な指標である。人は、次第に血圧の重要性を実感している。生活の質は、絶えず高められ、高血圧は、文化的な疾患となっており、誰もが防止すべきであることに気が付き、実行もしている。したがって、血圧計は全ての家庭で必要な健康補佐役になっている。
【０００３】
従来の血圧計は、圧力を高めるために空気を吐出し、イヤホンで患者の脈拍を聞くことをユーザに要求する完全な手動構造である。これは、医療専門家に非常に普及しているが、広く一般に用いられるまでには至ってない。最近では、機械的な不都合を改めた電子血圧計が非常に普及している。この電子血圧計は、全自動式と半自動式という２のタイプに分けることができる。前者は、リング部で患者の腕を覆った状態で検出し、リング部にガスを充填することにより始動し、測定を行なうように作動する。このタイプは、医療機関や他の公的な場で使用されている。前者は、個人的家庭的な使用に、より好ましく適用できるように、ガスを充填し測定を開始するためのタッチボタンを使用している。このタイプの血圧計は、日に３回の測定に使用する程度の一般的な高血圧の患者や健康な人にとっては十分である。しかし、例えば、心臓疾患や糖尿病患者のような特殊な疾患のある人あるいは重篤な状態の人にとっては、周期的血圧測定を適切なタイミングで行うことが要求される。つまり、例えば、３０分間で３分毎に測定を行わなければならないとか、２２:００と７:００との間という特定の時間内で２０分毎に測定を行わなければならない。この場合、患者の血圧変動は、集中的にモニタされることもある。このような状況の下では、前記全自動あるいは半自動タイプの血圧計いずれも、適切なタイミングで測定できず、手動による測定が要求されることになるが、万一、個人的な不注意や間違いが起ると、重大な結果を引き起こすことになる。
【０００４】
他方、従来の電子血圧計は、測定された血圧値を表示するのみで、その血圧値が異常な場合に警告信号を発するように作動しない。非専門的なユーザにとっては、異常な血圧値が何を意味しているか分からない。したがって、正しい血圧が測定されたときでさえ、適切な対応や処置が実行されないこともある。さらに、血圧の限界値は、個人的に異なり同じでないことから、従来の血圧計では、各個人の特定な限界値を正確に提供することができない。
【考案の開示】
【考案が解決しようとする課題】
【０００５】
本考案は、適切なタイミングで測定可能な電子血圧計を提供することを目的とする。
【０００６】
本考案に係る電子血圧計は、ユーザが、例えば、血圧測定を自動的に実行する時間や回数などのパラメータを入力でき、その結果、人的間違いや不注意を回避できる。
【０００７】
本考案は、さらにユーザが各個人の血圧の限界値を入力できる適切なタイミングで測定可能な電子血圧計を提供する。測定された血圧が限界値を超える場合には、ユーザの不知を避けるために警告信号が発せられる。
【０００８】
本考案に係る電子血圧計は、中央制御部としてのコントローラ、キー操作部、および、ユーザがパラメータを入力することができている表示部を有している。入力パラメータにより、血圧計は、血圧の適切なタイミング測定を自動的に実行し、測定結果を表示する。測定結果が予め設定された限界値を超えると、警告信号が発せられる。
【考案の効果】
【０００９】
本考案に係る電子血圧計は、例えば、血圧を測定する測定時間、測定間隔および血圧限界値などのパラメータをユーザがキー操作部で入力すると、自動的に血圧測定を行い、その結果、情報を表示部で表示するので、適切なタイミングで血圧の測定を自動的に行い、人的間違いや不注意を回避でき、また、測定された血圧が限界値を超える場合には、警告信号が発せられ、ユーザが不知をカバーする。
【考案を実施するための最良の形態】
【００１０】
以下、本考案の実施形態を図面により説明する。
【００１１】
図１は本考案に係る電子血圧計の斜視図、図２は本考案に係る電子血圧計のブロック線図である。
【００１２】
図１において、本考案に係る電子血圧計は、本体部１と、ガス充填されるリング部２とを有している。本体部１とリング部２は、相互に管２１を介して連結されている。
【００１３】
本体部１は、表示部１１、キー操作部１２、発光部１６１、および、音声発生部１６２を有し、音声発生部１６２は、本体部１の表面の適当な位置に設けられている。表示部１１は、表示情報および入力パラメータを表示し、ユーザがキー操作部１２で前記パラメータを入力することができる。表示部１１は、液晶ディスプレイ（ＬＣＤ）あるいは発光ダイオードディスプレイ（ＬＥＤ）を有し、例えば、数字や文字を表示する。発光部１６１と音声発生部１６２は、それぞれ警告灯や警告音を発するために使われる。リング部２は、患者の腕や手首に圧力を加える作用をし、血圧計として不可欠な装置である。
【００１４】
図２に示すように、本体部１は、コントローラ１３、血圧測定部材１４、メモリー部１５、表示部１１、キー操作部１２および警報部１６を有している。血圧測定部材１４、メモリー部１５および警告装置１６は、コントローラ１３に接続されている。コントローラ１３は、キー操作部１２により入力された測定時間、測定間隔および血圧限界値を受けて作動し、これらのパラメータをメモリー部１５に蓄積する。
【００１５】
血圧測定部材１４は、管２１を介してガス充填リング部２と連結されている。血圧測定部材１４は、コントローラ１３によって作動あるいは不作動とされる。測定後、血圧測定部材１４は、コントローラ１３に測定結果を伝達する。測定が行なわれない時間であれば、コントローラ１３によって血圧測定部材１４に制御信号が出力され、これによりガス充填リング部１３内にガス注入が開始する。リング部１３内のガスを吐出すると、血圧が測定され、測定された血圧値はコントローラ１３へ伝達され、メモリー部１５において測定値と蓄積されている限界値が比較される。測定値が限界値を超える場合、表示部１１で警告メッセージの表示および／または警告装置１６で警告音が発せられる。警告装置１６は、警告灯または警告音を発する発光部１６１と音声発生部１６２（図１参照）をそれぞれ有している。発光部１６１は、例えば、発光ダイオードまたは電球を、音声発生装置１６２は、例えば、スピーカまたはホーンを有している。これにより、有効な警告が得られる。この警告は、子供や盲目者にとって安全な典型的な実施形態を提供する。
【００１６】
ここに開示されたものの保護範囲は、前述の典型的な実施形態により制限されるものではなく、明細書に明確に提供され、明細書によって限定されているものに対する、たとえば、形状、構造、寸法、材料または製法の多数の変形例が、この開示の見地から当業者により実施されることができる。
【図面の簡単な説明】
【００１７】
【図１】本考案に係る電子血圧計の斜視図である。
【図２】本考案に係る電子血圧計のブロック線図である。
【符号の説明】
【００１８】
１…本体部、
２…ガス充填リング部、
１１…表示部、
１２…キー操作部、
１３…コントローラ、
１４…血圧測定部材、
１５…メモリー部、
１６…警告装置、
１６１…発光部、
１６２…音声発生部。
【図１】
0003101451.tif 000003
【図２】
0003101451.tif 000004